(57)【要約】      （修正有）【課題】生花及び生花贈答等に関わる情報又は情報入手手段を、簡単な操作でもって直接生花に備えさせ、携帯電話等を用いて容易に入手できるようにする。【解決手段】シート本体１は、情報発信部３と、生花に対する取り付け部４とから成り、前記情報発信部３は、所定の生花情報を入手するためのＱＲコード１０を備え、前記取り付け部４の一部に粘着層を備え、他の一部に該粘着層に粘着する接着部を備え、前記粘着層２には離型シートが貼着されている。【選択図】図１
0003137309.tif 000002
【実用新案登録請求の範囲】
【請求項１】
生花用情報シートであって、
シート本体１は、情報発信部３と、生花に対する取り付け部４とから成り、
前記情報発信部３は、所定の生花情報を入手するためのＱＲコード１０を備え、
前記取り付け部４の一部に粘着層２を備え、他の一部に該粘着層２に粘着する接着部５を備え、
前記粘着層２には離型シート６が貼着されている、
ことを特徴とする生花用情報シート。
【請求項２】
前記シート本体１は、その一方側に前記情報発信部３が、他方側に前記取り付け部４が一体的に配置されて帯状体に形成され、前記粘着層２が、前記取り付け部４の裏面側の一部に設けられ、前記接着部５が該取り付け部４の裏面側の他の部分に設けられ、前記離型シート６を前記粘着層２から剥離して前記取り付け部４を曲げ、生花９の茎９Ａを囲繞するようにループを形成して前記粘着層２と接着部５とを接着させることができるように構成してあることを特徴とする請求項１の生花用情報シート。
【請求項３】
前記シート本体１は、その一方側に前記情報発信部３が、他方側に前記取り付け部４が一体的に配置されて帯状体に形成され、前記粘着層２が、前記取り付け部４の表面側の一部に設けられ、前記接着部５が該取り付け部４の表面側の他の部分に設けられ、記離型シート６を前記粘着層２から剥離して前記取り付け部４を曲げ、生花９の茎９Ａを囲繞するようにループを形成して前記粘着層２と接着部５とを接着させることができるように構成してあることを特徴とする請求項１の生花用情報シート。
【請求項４】
前記取り付け部４の一部に、その帯状体の幅方向に横切るようにミシン目７が設けられ、該ミシン目７の近傍位置に、破断用摘み片８が突設されていることを特徴とする請求項２又は請求項３の生花用情報シート。
【考案の詳細な説明】
【技術分野】
【０００１】  本考案は、生花及び生花贈答等に関わる情報を、携帯電話等を用いて容易に入手できるようにするための生花用情報シートに関する。
【背景技術】
【０００２】  最近、誕生日、転居祝い、出生祝い等、生花、特に高価な生花を贈答に用いることが多くなっている。
こうした贈答に際しては、メッセージカードを付けることが多いが、このようなメッセージカードは、贈答目的の直接の文言を記載するのが普通である。【０００３】  このような包装箱としては、例えば、次のようなものが提案されている。
【特許文献１】実用新案登録第３１０９０５２号。
【特許文献２】実用新案公開平６−７９６６。
【考案の開示】
【考案が解決しようとする課題】
【０００４】  上記のような従来のメッセージカードは、その贈答目的に関する情報を掲載することが殆どであるが、特別仕立て（栽培）の高価な生花を贈答品とする場合に、その生花の品種にかかわる情報、栽培にかかわる情報等、生花自体の情報についても、相手方に伝えたい場合がある。
このような場合に、上述のメッセージカードでは、多量の情報を網羅できないと共に多数の写真等の情報を容易に提供できない（添付はできるが）という問題がある。【０００５】  また、こうしたメッセージカードは、生花とは別物であるため、生花に添えておくことになるが、必ずしも生花と常に一体であるとは限らず、見落としされてしまう場合もある。そして、見落としされないようにするためには、意図的に比較的大型のものとすることになり、嵩張ることになる。【０００６】  本考案は、かかる問題点に鑑み、生花及び生花贈答等に関わる情報又は情報入手手段を、簡単な操作でもって直接生花に備えさせ、携帯電話等を用いて容易に入手できるようにすること目的とする。
【課題を解決するための手段】
【０００７】  本考案にかかる生花用情報シートは、上記課題を解決するために、請求項１に記載の通り、生花用情報シートであって、
シート本体１は、情報発信部３と、生花に対する取り付け部４とから成り、
前記情報発信部３は、所定の生花情報を入手するためのＱＲコード１０を備え、
前記取り付け部４の一部に粘着層２を備え、他の一部に該粘着層２に粘着する接着部５を備え、
前記粘着層２には離型シート６が貼着されている、
ことを特徴とする。【０００８】  本考案に言うＱＲコード１０とは、そのＱＲコード自体が、所要の情報をコード化したもので、所要の携帯電話で直接解読して読み取ることができるものと、インターットによるＵＲＬのホームページの情報（文章、写真等）を携帯電話に呼び込むための情報をコード化したものも含まれる。
また、ＱＲコード１０は、通常のサイズ（１．８ｃｍ乃至４ｃｍｍの正方形等）でよく、そのシート本体１も、このＱＲコード１０を備え得ると共に取り付け部４が備えられる大きさであればよい。
また、シート本体１は、ＱＲコード１０を備えることができればよいもので、全体として、例えば、リボンの意匠、花の意匠、カラフルなものとすることができ、また、形状についても、実施例で示す如き矩形でなくてもよく、丸形、三角、楕円等適宜の形状としてよい。
【考案の効果】
【０００９】  本考案にかかる生花用情報シートによれば、生花及び生花贈答等に関わる情報又は情報入手手段を、簡単な操作でもって直接生花に備えさせ、携帯電話等を用いて容易に入手できる。
その情報についても、インターットによるＵＲＬのホームページの情報を入手する場合であれば、育成にかかわる現地写真等も見ることが可能である。
尚、この生花用情報シートは、生花に直接固定するのではなく、生花を包装した贈答用箱に貼付するようにして用いてもかまわない。
本考案のその他の利点は、以下の説明から明らかとなろう。
【考案を実施するための最良の形態】
【００１０】  本考案の実施に際しては、前記シート本体１は、その一方側に前記情報発信部３が、他方側に前記取り付け部４が一体的に配置されて帯状体に形成され、前記粘着層２が、前記取り付け部４の裏面側の一部に設けられ、前記接着部５が該取り付け部４の裏面側の他の部分に設けられ、前記離型シート６を前記粘着層２から剥離して前記取り付け部４を曲げ、生花９の茎９Ａを囲繞するようにループを形成して前記粘着層２と接着部５とを接着させることができるように構成してあるのが好ましい。【００１１】  このように、シート本体１を帯状体に形成することで、此れを曲げて、生花の茎に対してループを形成するようにして巻きつけ、その粘着層２で固定することができる。これにより、シート本体１を生花に一体化させることができて、贈答を受けた者は、必ずＱＲコード１０を見ることになり、そこに備えられた情報を入手することができるのである。
この際、シート本体１は、生花９の茎９Ａを囲繞するだけであるので、生花９を傷つける虞がない。
そして、粘着層２が、シート本体１の裏面側に位置され、接着部５も裏面側に位置されているので、シート本体１の表面側を利用して、メッセージ等の表記部を設けることもできる。【００１２】  また、前記シート本体１は、その一方側に前記情報発信部３が、他方側に前記取り付け部４が一体的に配置されて帯状体に形成され、前記粘着層２が、前記取り付け部４の表面側の一部に設けられ、前記接着部５が該取り付け部４の表面側の他の部分に設けられ、記離型シート６を前記粘着層２から剥離して前記取り付け部４を曲げ、生花９の茎９Ａを囲繞するようにループを形成して前記粘着層２と接着部５とを接着させることができるように構成してあることが好ましい。【００１３】  このように、シート本体１を帯状体に形成することで、此れを曲げて、生花の茎に対してループを形成するようにして巻きつけ、その粘着層２で固定することができる。これにより、シート本体１を生花に一体化させることができて、贈答を受けた者は、必ずＱＲコード１０を見ることになり、そこに備えられた情報を入手することができるのである。
この際、シート本体１は、生花９の茎９Ａを囲繞するだけであるので、生花９を傷つける虞がない。
又、粘着層２が、シート本体１の表目側に位置され、接着部５も表面側に位置されているので、シート本体１裏面側を利用して、メッセージ等の表記部を設けることもできる。【００１４】  更に、前記取り付け部４の一部に、その帯状体の幅方向に横切るようにミシン目７が設けられ、該ミシン目７の近傍位置に、破断用摘み片８が突設されていることが好ましい。【００１５】  このように、帯状体のシート本体１にミシン目７を入れ、破断用摘み片８を突設させることにで、この生花用情報シートを生花９の茎９Ａから取り外す場合に、破断用摘み片８を引っ張ることで、簡単に破断させることができて、生花を傷つける虞がない。特に、ミシン目７が茎９Ａを囲繞するループ部分に位置すると一層効果的である。
この際、破断用摘み片８がミシン目７の近傍に位置されているので、引っ張り力がそのミシン目７に伝わり易く、破断が一層容易である。
【実施例】
【００１６】  図面は、本考案の生花用情報シートの実施の形態を示し、図１は、使用状体を示す生花用情報シートの全体の斜視図であり、図２は、生花用情報シートの平面図、図３は、図２のＡ−Ａ線矢視断面図、図４は、使用状体を示す生花用情報シートの縦断面図、図５は、別態様の生花用情報シートの平面図、図６は、図５のＢ−Ｂ線矢視断面図、図７は、使用状体を示す生花用情報シートの縦断面図である。【００１７】  この生花用情報シートは、ここでは薄紙により製作されたもので、シート本体１は、全長が５０ｍｍ、幅が２０ｍｍである。
前記シート本体１は、情報発信部３と、生花に対する取り付け部４とから成り、前記情報発信部３は、所定の生花情報を入手するためのＱＲコード１０を備え、前記取り付け部４の一部に粘着層２を備え、他の一部に該粘着層２に粘着する接着部５を備え、前記粘着層２には離型シート６が貼着されている。前記ＱＲコード１０は、プリントによるもので、図示の如き厚みがあるものではない。前記離型シート６は、一般に用いられているシリコン皮膜を施した合成樹脂フィルムからなる。また、前記粘着層２については、一般に用いられている感圧接着剤が塗布されている。【００１８】  そして、前記シート本体１は、その一方側に前記情報発信部３が、他方側に前記取り付け部４が一体的に配置されて帯状体に形成され、前記粘着層２が、前記取り付け部４の裏面側の一部に設けられ、前記接着部５が該取り付け部４の裏面側の他の部分に設けられ、前記離型シート６を前記粘着層２から剥離して前記取り付け部４を曲げ、生花９の茎９Ａを囲繞するようにループを形成して前記粘着層２と接着部５とを接着させることができるように構成してある。
また、シート本体１の表面側のＱＲコード１０のない部分は、メッセージ（このＱＲコードから生花の情報を閲覧してください等）、並びに広告等の表記部１１としている。【００１９】  更に、前記取り付け部４の一部に、ここでは、シート本体１の長手方向で、前記ＱＲコード１０のある側から離れた位置に、その帯状体の幅方向に横切るようにミシン目７が設けられ、同様に該ミシン目７が位置する箇所に、破断用摘み片８が突設されている。
これにより、生花９の茎９Ａに囲繞されたシート本体１を取り外すときに、その破断用摘み片８を引っ張り、ミシン目７に沿って容易に破断させ、生花９を損傷する虞なく、取り外すことができるのである。【００２０】  この実施例では、前記ＱＲコード１０は、携帯電話で読み取りを行って、インターネットのＵＲＬのホームページの情報を取り出すためのコードが表されている。しかし、所定の携帯電話自体のソフトにより、所定のコードを文字化（図形）して読み取ることができる、直接変換のコードを表すものとしてもよい。【００２１】  従って、図４に示すように、使用に際しては、前記離型シート６を前記粘着層２から剥離し、生花９の茎９Ａを囲繞するようにループを形成してシート本体１を生花９に巻回してする固定するものである。この際、茎９Ａに対して位置固定するようにしても、或いは茎９Ａに対してスライド可能な状態で止め付けるようにしてもよい。【００２２】  図５乃至図７は、別態様を示し、ここでは、前記シート本体１は、その一方側に前記情報発信部３が、他方側に前記取り付け部４が一体的に配置されて帯状体に形成され、前記粘着層２が、前記取り付け部４の表面側の一部に設けられ、前記接着部５が該取り付け部４の表面側の他の部分に設けられ、記離型シート６を前記粘着層２から剥離して前記取り付け部４を曲げ、生花９の茎９Ａを囲繞するようにループを形成して前記粘着層２と接着部５とを接着させることができるように構成してある。【００２３】  この実施形態は、先の実施例とは、その粘着層２及び接着部５が、シート本体１の表面側に配置されている点で異なる。
このような構成とすることで、シート本体１の裏面側の全体を、メッセージ、広告等の表記部１１として用いることができる。
【産業上の利用可能性】
【００２４】  本考案の生花用情報シートは、携帯電話、その他の機器を用いて、各種（花及びサイズ）の贈答用の生花の情報を提供することができるもので、その適用範囲は広い。
【図面の簡単な説明】
【００２５】
【図１】本考案にかかる生花用情報シートの使用状体を示す全体の斜視図である。
【図２】本考案にかかる生花用情報シートの平面図である。
【図３】本考案にかかる生花用情報シートの図２のＡ−Ａ線矢視断面図である。
【図４】本考案にかかる生花用情報シートの使用状体を示す縦断面図である。
【図５】本考案にかかる生花用情報シートの別態様の平面図である。
【図６】本考案にかかる生花用情報シートの別態様の図５のＢ−Ｂ線矢視断面図である。
【図７】本考案にかかる生花用情報シートの別態様の使用状体を示す縦断面図である。
【符号の説明】
【００２６】１：シート本体
２：粘着層
３：情報発信部
４：取り付け部
５：接着部
６：離型シート
７：ミシン目
８：破断用摘み片
９：生花
９Ａ：茎
１０：ＱＲコード
【図１】
0003137309.tif 000003
【図２】
0003137309.tif 000004
【図３】
0003137309.tif 000005
【図４】
0003137309.tif 000006
【図５】
0003137309.tif 000007
【図６】
0003137309.tif 000008
【図７】
0003137309.tif 000009